(57)【要約】【課題】正確な経路制御を効率的に行う。【解決手段】パス収容設計業務支援システム２は、ＮＥ間の経路設定に関するオーダーを記憶する履歴情報データベース２９と、切替オーダーを生成し、履歴情報データベース２９に登録する切替オーダー生成部２５ａと、履歴情報データベース２９が記憶するオーダーに基づいて、変更前の状態に経路を戻すリカバリーオーダーを生成するリカバリーオーダー生成部２５ｂとを備える。【選択図】図２
2005311434.tif 000002
【特許請求の範囲】
【請求項１】
通信装置間の経路の変更を指示する切替指示を記憶する履歴情報記憶手段と、
前記切替指示を生成し、前記履歴情報記憶手段に登録する切替指示生成手段と、
前記履歴情報記憶手段が記憶する切替指示に基づいて、前記変更前の状態に前記経路を戻す切戻指示を生成する切戻指示生成手段と
を備えることを特徴とする経路制御システム。
【請求項２】
設定されている前記経路に関する既設情報を記憶する既設情報記憶手段と、
前記切戻指示による前記経路の変更結果に基づいて、前記既設情報記憶手段を更新する現行化手段と
を備えることを特徴とする請求項１に記載の経路制御システム。
【請求項３】
通信装置間の経路の変更を指示する切替指示を生成し、該切替指示を記憶する履歴情報記憶手段に登録する切替指示生成手段と、
前記履歴情報記憶手段が記憶する切替指示に基づいて、前記変更前の状態に前記経路を戻す切戻指示を生成する切戻指示生成手段と
を備えることを特徴とする経路制御装置。
【請求項４】
前記切戻指示生成手段は、前記切替指示の内容を反転させることにより前記切戻指示を生成することを特徴とする請求項３に記載の経路制御装置。
【請求項５】
前記切戻指示による前記経路の変更結果に基づいて、設定されている前記経路に関する既設情報を記憶する既設情報記憶手段を更新する現行化手段を備えることを特徴とする請求項３又は４に記載の経路制御装置。
【請求項６】
前記現行化手段は、前記既設情報記憶手段から最新の前記既設情報を削除することを特徴とする請求項５に記載の経路制御装置。
【請求項７】
通信装置間の経路の変更を指示する切替指示を生成し、該切替指示を記憶する履歴情報記憶手段に登録し、
前記履歴情報記憶手段が記憶する切替指示に基づいて、前記変更前の状態に前記経路を戻す切戻指示を生成することを特徴とする経路制御方法。
【発明の詳細な説明】
【技術分野】
【０００１】
本発明は、経路制御システム、経路制御装置及び経路制御方法に関する。
【背景技術】
【０００２】
従来、通信装置間の経路（パス）は、パス収容設計業務支援システムがＮＭＳ（Network Management System）に経路設定に関する指示を送信し、ＮＭＳが実行することにより、制御されている（例えば、特許文献１参照）。
【０００３】
従来の経路制御手順を図１７に示す。パス収容設計業務支援システム３０２が、新たな経路の設計情報を登録し（Ｓ６０１）、経路設定に関するオーダー（指示）を生成し（Ｓ６０２）、ＮＭＳ３０３に送信する（Ｓ６０３）。ＮＭＳ３０３は、オーダーを受信し（Ｓ６０４）、受信したオーダーを実行してその結果をパス収容設計業務支援システム３０２に送信する（Ｓ６０５）。パス収容設計業務支援システム３０２は現行化を行う（Ｓ６０６）。これにより、経路の切替が行われる。
【０００４】
切替後に、切戻要因が発生すると（Ｓ６０７）、パス収容設計業務支援システム３０２は、切替前の状態に経路を戻すために必要な設計情報を登録する（Ｓ６０８）。そして、パス収容設計業務支援システム３０２は、オーダーを生成し（Ｓ６０９）、ＮＭＳ３０３に送信する（Ｓ６１０）。このとき、パス収容設計業務支援システム３０２は、実行済みのオーダーの廃止も指示する。ＮＭＳ３０３は、オーダーを受信し（Ｓ６１１）、受信したオーダーを実行してその結果をパス収容設計業務支援システム３０２に送信する（Ｓ６１２）。更に、ＮＭＳ３０３は、実行済みのオーダーは廃止する。パス収容設計業務支援システム３０２は現行化を行う（Ｓ６１３）。これにより、経路を切替前の状態に戻す切戻が行われる。
【０００５】
その後、切戻要因が解消すると（Ｓ６１４）、パス収容設計業務支援システム３０２は、再度新たな設計情報を登録し（Ｓ６１５）、廃止されたオーダーを再度生成して（Ｓ６１６）、ＮＭＳ３０３に送信する（Ｓ６１７）。ＮＭＳ３０３は、オーダーを受信し（Ｓ６１８）、オーダーを実行してその結果をパス収容設計業務支援システム３０２に送信する（Ｓ６１９）。そして、パス収容設計業務支援システム３０２が現行化を行う（Ｓ６２０）。これにより、経路を再度切り替える再切替が行われる。
【０００６】
このような切替、切戻、再切替における各情報の変化を図１８に示す。図１８に示すように、切戻を行う必要が生じたときは、オペレータにより、切替前の状態に戻すための設計情報が入力され、設計情報が変更される。即ち、設計情報を戻す設計情報のロールバックが行われる。更に、再切替のときには、切戻の際に設計情報がロールバックされているため、オペレータにより、切替に用いた新たな設計情報が再度入力され、設計情報が変更される。
【特許文献１】特開２００３−２０９５５０号公報
【発明の開示】
【発明が解決しようとする課題】
【０００７】
しかしながら、従来の経路制御方法では、図１７、図１８に示したように、切戻、再切替の必要が生じたときに、オペレータによる設計情報の入力が必要であった。このデータ入力作業が何度も必要なことにより、効率的な切戻、再切替ができなかった。更に、度重なる設計情報の入力作業により、オペレータのミスを誘発するおそれがあり、設計情報の信頼性が低くなるおそれがあった。そこで、本発明は、正確な経路制御を効率的に行うことを目的とする。
【課題を解決するための手段】
【０００８】
本発明に係る経路制御システムは、通信装置間の経路の変更を指示する切替指示を記憶する履歴情報記憶手段と、切替指示を生成し、履歴情報記憶手段に登録する切替指示生成手段と、履歴情報記憶手段が記憶する切替指示に基づいて、変更前の状態に経路を戻す切戻指示を生成する切戻指示生成手段とを備えることを特徴とする。
【０００９】
又、本発明に係る経路制御装置は、通信装置間の経路の変更を指示する切替指示を生成し、切替指示を記憶する履歴情報記憶手段に登録する切替指示生成手段と、履歴情報記憶手段が記憶する切替指示に基づいて、変更前の状態に経路を戻す切戻指示を生成する切戻指示生成手段とを備えることを特徴とする。
【００１０】
このような経路制御システムや経路制御装置によれば、生成した切替指示を履歴情報記憶手段に登録し、管理できる。そして、経路制御システム、経路制御装置は、履歴情報記憶手段が記憶する過去の切替指示に基づいて切戻指示を生成することができる。そのため、経路制御システム、経路制御装置では、切戻、再切替のときに設計情報の登録を行う必要がない。よって、経路制御システム、経路制御装置によれば、正確な経路制御を効率的に行うことができる。
【００１１】
更に、経路制御システムは、設定されている経路に関する既設情報を記憶する既設情報記憶手段と、切戻指示による経路の変更結果に基づいて、既設情報記憶手段を更新する現行化手段とを備えることが好ましい。又、経路制御装置は、切戻指示による経路の変更結果に基づいて、設定されている経路に関する既設情報を記憶する既設情報記憶手段を更新する現行化手段を備えることが好ましい。これによれば、経路制御システム、経路制御装置は、切戻指示による経路の変更結果に応じて、既設情報記憶手段を更新できる。
【００１２】
更に、切戻指示生成手段は、切替指示の内容を反転させることにより切戻指示を生成することが好ましい。これによれば、経路制御装置は、簡単な処理により正確な切戻指示を生成できる。又、現行化手段は、既設情報記憶手段から最新の既設情報を削除することが好ましい。これによれば、経路制御装置は、簡単な処理により正確に既設情報記憶手段を更新できる。
【００１３】
本発明に係る経路制御方法は、通信装置間の経路の変更を指示する切替指示を生成し、その切替指示を記憶する履歴情報記憶手段に登録し、履歴情報記憶手段が記憶する切替指示に基づいて、変更前の状態に経路を戻す切戻指示を生成することを特徴とする。
【発明の効果】
【００１４】
以上説明したように、本発明によれば、正確な経路制御を効率的に行うことができる。
【発明を実施するための最良の形態】
【００１５】
（通信システム）
図１に示すように、通信システム１は、パス収容設計業務支援システム２と、ネットワーク管理システム（Network Management System、以下「ＮＭＳ」という）３と、ネットワーク装置管理システム（Network Equipment管理システム、以下「ＮＥ管理システム」という）４と、複数のネットワーク装置メディエーション（Network Equipmentメディエーション、以下「ＮＥメディエーション」という）５ａ，５ｂと、複数のネットワーク装置（Network Equipment、以下「ＮＥ」という）６ａ〜６ｄとを備える。ＮＥ管理システム４とＮＥメディエーション５ａ，５ｂは、複数のＮＥ６ａ〜６ｄにより構成されるＮＥ群を管理するＮＥ管理を行う。パス収容設計業務支援システム２とＮＭＳ３は、ＮＥ管理システム４を制御することにより、ＮＥ間の経路設定を制御してネットワーク全体を管理する。
【００１６】
パス収容設計業務支援システム２は、通信装置間の経路設定を制御する経路制御システムである。パス収容設計業務支援システム２が経路設定を制御する対象となる通信装置は、ＮＥ６ａ〜６ｄである。ＮＥ６ａ〜６ｄは、ネットワーク上の通信装置である。ＮＥ６ａ〜６ｄには、例えば、無線ネットワーク制御装置（ＲＮＣ：Radio Network Controller）、無線基地局（ＢＴＳ：Base Transceiver Station）、ＡＴＭ多重化装置（ＡＴＭ−ＭＵＸ）等があり、ネットワーク上のあらゆる通信装置が含まれる。
【００１７】
パス収容設計業務支援システム２は、ＮＭＳ３に経路設定に関する指示（以下「オーダー」という）を送信することにより、経路設定を制御する。パス収容設計業務支援システム２は、通信システム１のネットワーク構成に基づいて経路設定を制御し、パス収容設計業務を支援する。ＮＭＳ３は、パス収容設計業務支援システム２からのオーダーに基づいてＮＥ管理システム４を制御する。
【００１８】
ＮＥ管理システム４は、ＮＭＳ３の制御に従ってＮＥ６ａ〜６ｄを制御し、ＮＥ６ａ〜６ｄ間の経路の新設又は廃止を行い、経路設定を実行する。「新設」や「廃止」等の経路設定に関する工程の種類を「工程種別」という。ＮＥ管理システム４は、ＮＥメディエーション５ａ，５ｂを介してＮＥ６ａ〜６ｄを制御する。ＮＥメディエーション５ａ，５ｂは、ＮＥ管理システム４とＮＥ６ａ〜６ｄとの間の仲介を行う。ＮＥメディエーション５ａはＮＥ６ａ，６ｂと接続し、ＮＥメディエーション５ｂはＮＥ６ｃ，６ｄと接続する。このようにして、通信システム１では、パス収容設計業務支援システム２からのフロースルーデータに基づいて経路変更が行われる。
【００１９】
次に、パス収容設計業務支援システム２について詳細に説明する。図２に示すように、パス収容設計業務支援システム２は、経路制御装置２１と、設計情報データベース２７と、既設情報データベース２８と、履歴情報データベース２９とを備える。パス収容設計業務支援システム２は、オペレータ端末７とクライアント・サーバシステムを構成する。尚、クライアントとなるオペレータ端末７は、オペレーティングシステム（例えば、Ｗｉｎｄｏｗｓ（登録商標））、業務用アプリケーション、パス収容設計業務支援システム２とのインタフェース等を備えている。
【００２０】
設計情報データベース２７は、通信装置間に設定する経路に関する設計情報を記憶する設計情報記憶手段である。既設情報データベース２８は、既に設定されている経路に関する既設情報を記憶する既設情報記憶手段である。設計情報や既設情報には、ＮＥ間を中継するＮＥ等が含まれる。又、設計情報、既設情報にはそれぞれ、情報を一意に特定するための設計情報ＩＤ、既設情報ＩＤが付与されている。そのため、設計情報データベース２７、既設情報データベース２８はそれぞれ、設計情報ＩＤ、既設情報ＩＤに対応付けて設計情報、既設情報を記憶する。
【００２１】
更に、設計情報データベース２７や既設情報データベース２８は、ＮＥの組み合わせによって決まる区間毎に、複数の設計情報や既設情報を記憶することが好ましい。例えば、設計情報データベース２７や既設情報データベース２８は、経路変更の時期と対応付けて時系列に従って設計情報や既設情報を記憶できる。例えば、設計情報データベース２７や既設情報データベース２８は、経路変更の月と対応付けて月単位で設計情報や既設情報を記憶する。
【００２２】
設計情報データベース２７は、時期と対応付けて複数の設計情報を記憶することにより、各区間について過去から将来までの複数の設計情報を管理できる。一方、設計情報データベース２７は、時期と対応付けずに複数の設計情報を記憶しておくことにより、オペレータ端末７が自由に設計情報を選択できる。又、既設情報データベース２８は、時期と対応付けて複数の設計情報を記憶することにより、各区間について過去から現在までの複数の既設情報を管理できる。
【００２３】
履歴情報データベース２９は、通信装置間の経路の変更を指示する切替指示（以下「切替オーダー」という）を記憶する履歴情報記憶手段である。履歴情報データベース２９は、経路変更前の状態に経路を戻す切戻指示（以下「リカバリーオーダー」という）や、一度実施した切替（経路変更）を再度指示する再切替指示（以下「再切替オーダー」という）も記憶する。即ち、履歴情報データベース２９は、経路設定に関するあらゆるオーダーを記憶する。
【００２４】
オーダーには、オーダーを一意に特定するためのオーダーＩＤが付与されている。そのため、履歴情報データベース２９はそれぞれ、オーダーＩＤに対応付けてオーダーを記憶する。又、履歴情報データベース２９は、ＮＥの組み合わせによって決まる区間毎に、時期によって変化する複数のオーダー、即ち、切替オーダー、リカバリーオーダー、再切替オーダーを記憶する。具体的には、履歴情報データベース２９は、指示時期と対応付けて時系列に従ってオーダーを記憶する。例えば、履歴情報データベース２９は、指示の月と対応付けて月単位でオーダーを記憶する。このようにして、履歴情報データベース２９は、各区間について過去から現在までの複数のオーダーを管理できる。尚、これらの設計情報データベース２７、既設情報データベース２８、履歴情報データベース２９は、例えば、オラクルが提供するデータベースを用いることができる。
【００２５】
経路制御装置２１は、通信装置間の経路設定を制御する。経路制御装置２１は、インタフェース（以下「Ｉ／Ｆ」と表す）２２と、オーダー送信部２３ａと、オーダー結果受信部２３ｂと、設計情報更新部２４と、切替オーダー生成部２５ａと、リカバリーオーダー生成部２５ｂと、再切替オーダー生成部２５ｃと、現行化部２６とを備える。
【００２６】
Ｉ／Ｆ２２は、オペレータ端末７とのインタフェースであり、オペレータ端末７からの入力を受け付け、オペレータ端末７への出力を行う。オーダー送信部２３ａは、オーダーをＮＭＳ３に送信する。オーダー結果受信部２３ｂは、ＮＭＳ３からオーダー結果を受信する。オーダー結果とは、オーダーによる経路の変更結果である。ＮＭＳ３が、パス収容設計業務支援システム２から受信したオーダーを管理システム４に送信すると、ＮＥ管理システム４が、ＮＭＳ３からのオーダーに従って経路設定を実行し、その実行結果をＮＭＳ３に送信する。そして、ＮＭＳ３が、オーダー結果として、ＮＥ管理システム４から受信した実行結果をパス収容設計業務支援システム２に送信する。そのため、オーダー結果受信部２３ｂは、このＮＥ管理システム４のオーダーに従った実行結果をオーダー結果として受信する。
【００２７】
設計情報更新部２４は、オペレータ端末７から入力された設計情報とその設計情報ＩＤをＩ／Ｆ２２から取得する。設計情報更新部２４は、取得した設計情報ＩＤと設計情報を、ＮＥの組み合わせによって決まる区間毎に、経路変更の時期に対応付けて設計情報データベース２７に登録する。このようにして、パス収容設計業務支援システム２は、経路設計を行う。
【００２８】
切替オーダー生成部２５ａは、切替オーダーを生成し、履歴情報データベース２９に登録する切替指示生成手段である。切替オーダー生成部２５ａは、オペレータ端末７から入力された切替オーダー生成処理の選択をＩ／Ｆ２２から取得する。このとき、オペレータ端末７は設計情報を選択し、その設計情報ＩＤを指定する。切替オーダー生成部２５ａは、オペレータ端末７の選択を受けて切替オーダー生成を実行する。切替オーダー生成部２５ａは、指定された設計情報ＩＤに基づいて設計情報データベース２７を検索し、設計情報を取得する。又、切替オーダー生成部２５ａは、指定された設計情報と同じ区間に基づいて既設情報データベース２８を検索し、その区間の最新の既設情報を取得する。
【００２９】
そして、切替オーダー生成部２５ａは、取得した設計情報と既設情報とを比較することにより、切替オーダーを生成する。切替オーダー生成部２５ａは、１つの切替オーダーを生成してもよく、連動した複数の切替オーダーを生成してもよい。例えば、切替オーダー生成部２５ａは、現在パスＡが設定されており、パスＡをパスＢに変更する場合には、「パスＡ廃止パスＢ新設」という１つの切替オーダーを生成してもよく、「パスＡ廃止」と「パスＢ新設」という連動した複数の切替オーダーを生成してもよい。又、切替オーダー生成部２５ａは、複数の設計情報を指定された場合にそれらの間の関連性を判断し、その関連性に基づいて連動した複数の切替オーダーを過不足なく生成してもよい。このように、切替オーダー生成部２５ａは、複数の設計情報と既設情報とを組み合わせて切替オーダーを生成することができる。
【００３０】
切替オーダー生成部２５ａは、生成した切替オーダーにオーダーＩＤを付与し、オーダーＩＤに対応付けて切替オーダーを履歴情報データベース２９に登録する。更に、切替オーダー生成部２５ａは、切替オーダーをオーダー送信部２３ａに入力する。これによれば、経路制御装置２１は、既設情報、例えば、ネットワーク上のＮＥ６ａと６ｃとの間に設定されている経路に応じて、切替オーダーの内容を変更できる。よって、ＮＭＳ３は、設定されている経路に応じてＮＥに対する設定内容を変更することができる。
【００３１】
リカバリーオーダー生成部２５ｂは、履歴情報データベース２９が記憶する切替オーダーに基づいて、リカバリーオーダーを生成する切戻指示生成手段である。リカバリーオーダー生成部２５ｂは、オペレータ端末７から入力されたリカバリーオーダー生成処理の選択をＩ／Ｆ２２から取得する。このとき、オペレータ端末７は、どのオーダーによる経路変更の前の状態に戻したいかを選択し、そのオーダーＩＤを指定する。リカバリーオーダー生成部２５ｂは、オペレータ端末７の選択を受けてリカバリーオーダー生成を実行する。リカバリーオーダー生成部２５ｂは、指定されたオーダーＩＤに基づいて履歴情報データベース２９を検索し、指示時期が指定されたオーダーＩＤ以降の全てのオーダーを取得する。
【００３２】
そして、リカバリーオーダー生成部２５ｂは、オーダーの内容を反転させることによりリカバリーオーダーを生成する。具体的には、リカバリーオーダー生成部２５ｂは、工程種別を反転させる。例えば、指定されたオーダーＩＤ以降の切替オーダーが１つであり、「パスＡ廃止パスＢ新設」という内容であった場合、リカバリーオーダー生成部２５ｂはその内容を反転させて、即ち、廃止と新設を入れ替えて「パスＡ新設パスＢ廃止」という内容のリカバリーオーダーを生成する。
【００３３】
又、例えば、指定されたオーダーＩＤ以降の切替オーダーが複数あり、古いものから順に、「パスＡ廃止パスＢ新設」、「パスＢ廃止パスＣ新設」という内容であった場合、リカバリーオーダー生成部２５ｂは、まず、その内容をそれぞれ反転させる。この場合、古いものから順にオーダーを反転させたものは、「パスＢ廃止、パスＡ新設」、「パスＣ廃止パスＢ新設」となる。よって、リカバリーオーダー生成部２５ｂは、パスＢの新設と廃止を相殺し、「パスＣ廃止パスＡ新設」という内容だけ残したリカバリーオーダーを生成する。このように、リカバリーオーダー生成部２５ｂは、複数のオーダーを組み合わせてリカバリーオーダーを生成することができる。又、このようなリカバリーオーダーにより、廃止と新設の両方を同時に戻すことができる。
【００３４】
リカバリーオーダー生成部２５ｂは、生成したリカバリーオーダーにオーダーＩＤを付与し、オーダーＩＤに対応付けてリカバリーオーダーを履歴情報データベース２９に登録する。更に、リカバリーオーダー生成部２５ｂは、リカバリーオーダーをオーダー送信部２３ａに入力する。このようにして、経路制御装置２１は、経路変更後に、ＮＭＳ３に経路変更トランザクションをロールバックさせるためのリカバリーオーダーを生成できる。
【００３５】
再切替オーダー生成部２５ｃは、再切替オーダーを生成し、履歴情報データベース２９に登録する再切替指示生成手段である。再切替オーダー生成部２５ｃは、オペレータ端末７から入力された再切替オーダー生成処理の選択をＩ／Ｆ２２から取得する。このとき、オペレータ端末７は再切替を行いたい設計情報を選択し、その設計情報ＩＤを指定する。再切替オーダー生成部２５ｃは、オペレータ端末７の選択を受けて再切替オーダー生成を実行する。再切替オーダー生成部２５ｃは、指定された設計情報ＩＤに基づいて設計情報データベース２７を検索し、設計情報を取得する。又、再切替オーダー生成部２５ｃは、指定された設計情報と同じ区間に基づいて既設情報データベース２８を検索し、その区間の最新の既設情報を取得する。そして、再切替オーダー生成部２５ｃは、取得した設計情報と既設情報とを比較することにより、再切替オーダーを生成する。
【００３６】
あるいは、オペレータ端末７が再切替を行いたい内容の切替オーダーを選択し、そのオーダーＩＤを指定するようにしてもよい。再切替オーダー生成部２５ｃは、指定されたオーダーＩＤに基づいて履歴情報データベース２９を検索し、切替オーダーを取得し、そのまま再切替オーダーとする。再切替オーダー生成部２５ｃは、生成した再切替オーダーにオーダーＩＤを付与し、オーダーＩＤに対応付けて再切替オーダーを履歴情報データベース２９に登録する。更に、再切替オーダー生成部２５ｃは、再切替オーダーをオーダー送信部２３ａに入力する。このように、経路制御装置２１は、切替オーダー生成部２５ａと、リカバリーオーダー生成部２５ｂと、再切替オーダー生成部２５ｃとを備えることにより、各オーダーの生成を独立させることができる。
【００３７】
現行化部２６は、リカバリーオーダーによる経路の変更結果に基づいて、既設情報データベース２８を更新する現行化手段である。現行化部２６は、切替オーダーや再切替オーダーによる変更結果にも基づいて、既設情報データベース２８を更新する。以下、オーダーによる経路の変更結果に基づいて、既設情報データベース２８を更新することを「現行化」という。現行化部２６は、ＮＭＳ３からのオーダー結果を、オーダー結果受信部２３ｂから取得する。
【００３８】
現行化部２６は、切替オーダーや再切替オーダーに対するオーダー結果が、オーダー通り経路変更を実行できたことを示す正常応答の場合には、切替オーダーや再切替オーダーの基礎となった設計情報を最新の既設情報として既設情報データベース２８に登録し、更新する。現行化部２６は、リカバリーオーダーに対するオーダー結果が正常応答の場合には、既設情報データベース２８から最新の既設情報を削除することにより、既設情報データベース２８を更新する。これにより、経路制御装置２１は、既設情報データベース２８を経路変更前の状態に戻すことができ、経路変更トランザクションのロールバックに対応した現行化が可能となる。一方、現行化部２６は、オーダー結果が、オーダー通り経路変更を実行できなかったことを示す失敗応答の場合には、既設情報データベース２８を更新しない。尚、経路制御装置２１は、例えば、オペレーティングシステム（例えば、Ｓｏｌａｒｉｓ）や業務用アプリケーション、通信用アプリケーションを用いてこれらの機能を実現できる。
【００３９】
次に、このようなパス収容設計業務支援システム２の処理の流れを図３に示す。パス収容設計業務支援システム２では、設計情報更新部２４が設計情報データベース２７に設計情報を登録することにより設計１０１が行われる。そして、必要に応じて、切替オーダー生成部２５ａ、リカバリーオーダー生成部２５ｂ、再切替オーダー生成部２５ｃがオーダーを生成するオーダー生成１０２が行われる。オーダーが生成されると、オーダー送信部２３ａがオーダーをＮＭＳ３に送信するオーダー送信１０４が行われる。ＮＭＳ３によりオーダーが実行されると、オーダー結果受信部２３ｂがオーダー結果をＮＭＳ３から受信するオーダー結果受信１０５が行われる。そして、現行化部２６が、既設情報データベース２８を更新する現行化１０６が行われる。尚、これらの処理、即ち、設計１０１、オーダー生成１０２、オーダー送信１０４、オーダー結果受信１０５、現行化１０６は、進捗管理１０３によって連携される。
【００４０】
次に、図４に示すようなＮＥ６ａとＮＥ６ｃとの間の経路制御を具体例に、パス収容設計業務支援システム２について説明する。ＮＥ６ａ，６ｂ，６ｃ，６ｄにはＮＥを一意に特定するＮＥＩＤが付与されており、それぞれ「ＮＥ１」、「ＮＥ２」、「ＮＥ３」、「ＮＥ４」となっている。図４では、ＮＥ６ａとＮＥ６ｂとの間の経路を、パスＡを廃止してパスＢを新設することによりパスＡからパスＢに切り替える経路変更を行う。尚、パスＡ、パスＢは経路名である。パスＡは、ＮＥ６ａとＮＥ６ｃとの間を中継するＮＥがＮＥ６ｂであり、ＮＥ６ａとＮＥ６ｂとの間の区間Ａと、ＮＥ６ｂとＮＥ６ｃとの間の区間Ｂとを含む。パスＢは、ＮＥ６ａとＮＥ６ｃとの間を中継するＮＥがＮＥ６ｄであり、ＮＥ６ａとＮＥ６ｄとの間の区間Ｃと、ＮＥ６ｄとＮＥ６ｃとの間の区間Ｄとを含む。以下、このような経路に含まれるＮＥや区間等の経路に関する情報を「経路情報」という。
【００４１】
例えば、通信システム１が移動通信システムであり、エリア拡大を行う必要が生じたときに、ＲＮＣを新設し、既設のＲＮＣから新設のＲＮＣにＢＴＳの収容を変更する場合がある。この変更に伴って、ＲＮＣとＢＴＳとの間の経路の切替が行われる。又、通信システム１におけるネットワーク設備の増設や、ネットワークの信頼性向上のために、一度開通した経路の切替が行われる。
【００４２】
図４に示す切替においてパス収容設計業務支援システム２が行う設計からオーダー生成までの処理２００と、各データベースとの関係を図５を用いて説明する。状態Ａは、パスＡ設定後の各データベースの状態を示しており、設計情報データベース２７は設計情報として経路名「パスＡ」とその経路情報を、既設情報データベース２８は既設情報として経路名「パスＡ」とその経路情報を、履歴情報データベース２９はオーダー「パスＡ新設」を記憶している。
【００４３】
まず、設計情報更新部２４が、設計情報として経路名「パスＢ」とその経路情報を、状態Ａの設計情報データベース２７に登録する（２０１）。その結果、設計情報データベース２７は、状態Ｂのように複数の設計情報が時系列に登録された状態になる。切替オーダー生成部２５ａは、オペレータ端末７からパスＢを指定した切替オーダーの生成処理の選択を受けると、状態Ｂの設計情報データベース２７から設計情報として、経路名「パスＢ」とその経路情報を取得する。更に、切替オーダー生成部２５ａは、状態Ｂの既設情報データベース２８から既設情報として、経路名「パスＡ」とその経路情報を取得する。そして、切替オーダー生成部２５ａは、取得した設計情報と既設情報とを比較する（２０２）。
【００４４】
切替オーダー生成部２５ａは、設計情報と既設情報に変更あるか否かを判断する（２０３）。この場合、変更があるため、切替オーダー生成部２５ａは、「パスＡ廃止」と「パスＢ新設」という２つの連動した切替オーダーを生成する（２０４）。そして、切替オーダー生成部２５ａは、生成した切替オーダー「パスＡ廃止」と「パスＢ新設」を履歴情報データベース２９に登録する（２０５）。その結果、履歴情報データベース２９は、状態Ｃのように複数のオーダーが時系列に登録された状態になる。
【００４５】
尚、切替オーダー生成部２５ａは、設計情報と既設情報に変更あるか否かを判断した結果（２０３）、変更がない場合には切替オーダーを生成する必要がないと判断し、オーダー生成を行わない（２０６）。このように、パス収容設計業務支援システム２は、設計情報と既設情報とを比較することにより、設計の進捗状況とオーダーの進捗状況（オーダーの実行結果）を判断し、それに応じてオーダー生成を行うことができる。即ち、パス収容設計業務支援システム２は、設計とオーダーの実行とを統合した進捗管理機能を有する。これによれば、パス収容設計業務支援システム２は、設計とオーダーの進捗状況に基づいて切替オーダー生成の必要性を判断することができ、その結果、経路制御のミスを防ぎ、効率よく経路制御を行うことができる。また、パス収容設計業務支援システム２は、このような進捗管理機能により、各処理の連携を図ることができる。そのため、パス収容設計業務支援システム２は、各処理の独立性を向上でき、システム全体の柔軟性を向上できる。
【００４６】
更に、切替においてパス収容設計業務支援システム２が行う切替オーダー生成から現行化までの処理を図６を用いて説明する。切替オーダー生成部２５ａは、設計情報データベース２７と既設情報データベース２８から設計情報と既設情報を取得し、両者を比較して切替オーダーを生成する。そして、切替オーダー生成部２５ａは、生成した切替オーダーを履歴情報データベース２９に登録し、オーダー送信部２３ａを介してＮＭＳ３に提供する。
【００４７】
現行化部２６は、オーダー結果受信部２３ｂを介してＮＭＳ３からオーダー結果を取得する。現行化部２６は、オーダー結果が正常応答の場合には、設計情報データベース２７から切替オーダー生成に用いた設計情報を取得する。現行化部２６は、取得した設計情報を最新の既設情報として既設情報データベース２８に登録し、既設情報データベース２９を更新する。
【００４８】
次に、図４に示す切替において、切戻要因が発生したときの経路制御を図７に示す。例えば、ＲＮＣとＢＴＳとの間の経路の切替を行った際に、経路制御の対象となっているＲＮＣやＢＴＳに問題がなく、経路変更が正常に終了した場合であっても、交換機に何らかの問題が生じた場合には経路を変更前の状態に戻す必要が生じる。切戻要因には、例えば、このような経路制御の対象となっているＮＥ６ａ〜６ｄ以外の要因等がある。
【００４９】
図７において、点線で示す経路は設定されていない状態を表す。経路変更前の初期状態では、ＮＥ６ａとＮＥ６ｃとの間をＮＥ６ｂが中継するパスＡが設定されている。パス収容設計業務支援システム２は、初期状態から、パスＡからパスＢに経路変更する切替を実行し、第１中間状態とする。第１中間状態では、ＮＥ６ａとＮＥ６ｃとの間のパスＡが廃止され、ＮＥ６ａとＮＥ６ｃとの間をＮＥ６ｄが中継するパスＢが新設されている。第１中間状態において切戻要因が発生すると、パス収容設計業務支援システム２は、パスＡからパスＢへの経路変更の切戻を行う。その結果、切戻が実行された後の第２中間状態では、パスＢが廃止され、パスＡが新設されている。このようにして新設されたパスＢから廃止したパスＡへの経路変更が行われる。
【００５０】
その後、切戻要因が解消すると、パス収容設計業務支援システム２は、パスＡからパスＢへの経路変更を再度行う再切替を行う。その結果、再切替が実行された後の最終状態では、パスＡが廃止され、パスＢが新設されている。このようにして再度、パスＡからパスＢへの経路変更が行われる。図７に示されるように、初期状態と第２中間状態が同一の経路設定となり、第１中間状態と最終状態が同一の経路設定となり、各経路設定の間を行き来することになる。
【００５１】
更に、切戻においてパス収容設計業務支援システム２が行うリカバリーオーダー生成から現行化までの処理を図８を用いて説明する。リカバリーオーダー生成部２５ｂは、履歴情報データベース２９から切替オーダー等の過去のオーダーを取得し、オーダーに基づいてリカバリーオーダーを生成する。具体的には、リカバリーオーダー生成部２５ｂは、過去のオーダーの内容を反転させることによりリカバリーオーダーを生成する。例えば、切替オーダーが図５に示したように「パスＡ廃止」と「パスＢ新設」であった場合、リカバリーオーダー生成部２５ｂは廃止と新設を入れ替えて切替オーダーの内容を反転させて、「パスＡ新設」と「パスＢ廃止」という内容のリカバリーオーダーを生成する。そして、リカバリーオーダー生成部２５ｂは、生成したリカバリーオーダーを履歴情報データベース２９に登録し、オーダー送信部２３ａを介してＮＭＳ３に提供する。
【００５２】
現行化部２６は、オーダー結果受信部２３ｂを介してＮＭＳ３からオーダー結果を取得する。現行化部２６は、オーダー結果が正常応答の場合には、既設情報データベース２８から最新の既設情報を削除し、既設情報データベース２９を更新する。
【００５３】
次に、切替オーダー生成部２５ａ、リカバリーオーダー生成部２５ｂ、再切替オーダー生成部２５ｃが生成する切替オーダー、リカバリーオーダー、再切替オーダー等のオーダーについて詳細に説明する。図９に、オーダーのフォーマットを示す。オーダーは、オーダーＩＤと、工程種別と、経路情報と、リソース情報を含む。工程種別のフィールドには、パス名と対応付けて工程種別が設定される。経路情報のフィールドには経路名と対応付けて、経路の始点、終点、中継点となるＮＥのＮＥＩＤと、各ＮＥ間の区間名が設定される。リソース情報のフィールドには経路名と対応付けて、経路におけるリソースに関する情報が設定される。
【００５４】
経路におけるリソースを、ＮＥ６ａとＮＥ６ｂに関連するリソースを示した図１０を例にして説明する。経路におけるリソースには、物理的なリソースである物理系リソース６１と、論理的なリソースである論理系リソース６２とがある。物理系リソース６１には、例えば、ＮＥ自体やＮＥに関連する装置、ＮＥに含まれる装置等の装置架、ＮＥの物理的なリソースを管理する物理ユニット（ＰＵ：Physical  Unit）、ＮＥが属するグループ、他のＮＥ等との物理的なＩ／Ｆ等がある。論理系リソース６２には、例えば、ＮＥ間のＶＣ（Virtual  Container）、ＮＥ間のＶＰ（Virtual  Path）、ＮＥ間の回線等がある。このように、オーダーには、パス名、工程種別、経路情報、リソース情報が設定され、オーダーＩＤが付与されている。
【００５５】
そのため、切替オーダー生成部２５ａ、再切替オーダー生成部２５ｃは、設計情報と既設情報に基づいて物理系リソースと論理系リソースに関する設定内容を決定し、オーダーに設定する。切替オーダー生成部２５ａ、再切替オーダー生成部２５ｃは、物理系リソースと論理系リソースの関連性を考慮して設定内容を決定することが好ましい。尚、ＮＭＳ３がオーダーに基づいてＮＥ管理システム４を制御することにより、ＮＥ管理システム４によってＮＥ６ａ〜６ｄのリソースに関する設定が行われる。又、工程種別と経路情報とを分割して含むオーダーを生成することにより、リカバリーオーダー生成部２５ｂは、オーダーの工程種別を「新設」から「廃止」へ、又は、「廃止」から「新設」へ反転させるだけで、容易にリカバリーオーダーを生成できる。
【００５６】
次に、パス収容設計業務支援システム２が行う切替、切戻、再切替における各情報の変化と、生成するオーダーの具体例を図１１に示す。図１１では、工程種別と、処理内容と、設計情報と、既設情報と、履歴情報データベースが記憶するオーダー（図１１では「オーダー（履歴）」と表す）と、新たに生成したオーダー（図１１では「生成オーダー」と表す）とを対応付けて示す。図１１は、既に３月にパスＡが新設されており、６月に新たなパスＢが新設される場合を示している。
【００５７】
切替時は、パス収容設計業務支援システム２は、設計において、経路変更の時期「６月」に対応付けて設計情報「パスＢ」を設計情報データベース２７に登録する。更に、パス収容設計業務支援システム２は、オーダー生成において、６月に実施する「パスＡ廃止パスＢ新設」の切替オーダーを生成し、生成した切替オーダーを６月に対応付けて履歴情報データベース２９に登録する。パス収容設計業務支援システム２は、現行化において、６月に対応付けて切替オーダー生成に用いた設計情報と同一内容の既設情報「パスＢ」を、既設情報データベース２８に登録する。
【００５８】
切替直後に切戻要因が発生した場合、パス収容設計業務支援システム２は、切戻時のオーダー生成において、６月に実施する「パスＡ新設パスＢ廃止」のリカバリーオーダーを生成し、生成したリカバリーオーダーを６月に対応付けて履歴情報データベース２９に登録する。パス収容設計業務支援システム２は、現行化において、６月に対応付けられている最新の既設情報「パスＢ」を既設情報データベース２８から削除する。
【００５９】
その後、切戻要因が解消した場合には、パス収容設計業務支援システム２は、再切替時のオーダー生成において、６月に再度実施する「パスＡ廃止パスＢ新設
」の再切替オーダーを生成し、生成した再切替オーダーを６月に対応付けて履歴情報データベース２９に登録する。パス収容設計業務支援システム２は、現行化において、再切替オーダー生成に用いた設計情報と同一内容の既設情報「パスＢ」を、６月に対応付けて既設情報データベース２８に再度登録する。
【００６０】
ここで、図１１と図１８に示した従来の各情報の変化とを比較すると、従来は、切戻時、再切替時の設計において、設計情報を再度登録して変更する必要があった。又、切戻時、再切替時の現行化においても、登録されている既設情報を一度削除して、新たに既設情報を登録することにより、既設情報を変更する必要があった。これに対して、図１１では、切戻、再切替の必要が生じたときに、オペレータによる設計情報の入力が不要となっており、現行化における既設情報の入力回数も削減されている。更に、この設計情報の入力は、複数回の操作が必要なことが多い。そのため、パス収容設計業務支援システム２ではデータ入力作業を大幅に削減できる。その結果、パス収容設計業務支援システム２は、効率的な切戻、再切替ができる。更に、パス収容設計業務支援システム２は、情報の入力回数が少ないため、オペレータの入力ミスによる情報の精度低下を抑制でき、情報の信頼性も向上できる。
【００６１】
（経路制御方法）
次に、通信システム１における経路制御方法の手順について説明する。まず、通信システム１が行う経路制御方法の手順を図１２に示す。パス収容設計業務支援システム２が設計情報を設計情報データベース２７に登録する（Ｓ１０１）。パス収容設計業務支援システム２は、オペレータ端末７による処理の選択内容に応じてオーダーを生成し（Ｓ１０２）、ＮＭＳ３に送信する（Ｓ１０３）。ＮＭＳ３は、オーダーを受信し（Ｓ１０４）、受信したオーダーを実行して、オーダーに基づいてＮＭＳ３を制御する（Ｓ１０５）。
【００６２】
ＮＥ管理システム４は、ＮＭＳ３の制御に従って、ＮＥ６ａ〜６ｄを制御し、ＮＥ６ａ〜６ｄ間の経路の新設又は廃止を行い、経路設定を実行する。具体的には、ＮＥ管理システム４は、ＮＥメディエーション５ａ，５ｂを介して、ＮＥ６ａ〜６ｄに対する設定を行う（Ｓ１０６）。ＮＥ６ａ〜６ｄは、ＮＥ管理システム４の制御（設定内容）に従って設定を行い、経路設定を実行する（Ｓ１０７）。
【００６３】
ＮＥ６ａ〜６ｄは、設定結果をＮＥ管理システム４に通知する（Ｓ１０８）。ＮＥ管理システム４は、ＮＥ６ａ〜６ｄから通知された設定結果をＮＭＳ３に通知する（Ｓ１０９）。そして、ＮＭＳ３が設定結果を受信する（Ｓ１１０）。ＮＭＳ３は、受信した設定結果に基づいてオーダー通り経路変更が実行できたか否かを判断し、オーダー結果をパス収容設計業務支援システム２に送信する（Ｓ１１１）。パス収容設計業務支援システム２は、オーダー結果を受信し（Ｓ１１２）、受信したオーダー結果に基づいて現行化を行う（Ｓ１１３）。このように、パス収容設計業務支援システム２からＮＥ６ａ〜６ｄまでが、切替、切戻、再切替の対象範囲となる。
【００６４】
次に、パス収容設計業務支援システム２とＮＭＳ３が行う切替、切戻、再切替の詳細な手順を図１３に示す。パス収容設計業務支援システム２は、設計情報を設計情報データベース２７に登録する（Ｓ２０１）。パス収容設計業務支援システム２は、設計情報と既設情報とを比較することにより切替オーダーを生成し（Ｓ２０２）、切替オーダーをＮＭＳ３に送信する（Ｓ２０３）。ＮＭＳ３は、切替オーダーを受信し（Ｓ２０４）、受信した切替オーダーを実行する。そして、ＮＭＳ３は、オーダー結果をパス収容設計業務支援システム２に送信する（Ｓ２０５）。  パス収容設計業務支援システム２は、ＮＭＳ３から受信したオーダー結果に基づいて既設情報データベース２８を更新し、現行化を行う（Ｓ２０６）。このようにして、切替が行われる。
【００６５】
切替後に切戻要因が発生すると（Ｓ２０７）、パス収容設計業務支援システム２は、履歴情報データベース２９から切替オーダーを取得し、切替オーダーに基づいてリカバリーオーダーを生成する（Ｓ２０８）。パス収容設計業務支援システム２は、生成したリカバリーオーダーをＮＭＳ３に送信する（Ｓ２０９）。ＮＭＳ３は、リカバリーオーダーを受信し（Ｓ２１０）、受信したリカバリーオーダーを実行し、そのオーダー結果をパス収容設計業務支援システム２に送信する（Ｓ２１１）。パス収容設計業務支援システム２は、ＮＭＳ３から受信したオーダー結果に基づいて既設情報データベース２８を更新し、現行化を行う（Ｓ２１２）。このようにして、切戻が行われる。
【００６６】
切戻後に切戻要因が解消すると（Ｓ２１３）、パス収容設計業務支援システム２は、再切替オーダーを生成し（Ｓ２１４）、生成した再切替オーダーをＮＭＳ３に送信する（Ｓ２１５）。ＮＭＳ３は、再切替オーダーを受信し（Ｓ２１６）、受信した再切替オーダーを実行し、そのオーダー結果をパス収容設計業務支援システム２に送信する（Ｓ２１７）。パス収容設計業務支援システム２は、ＮＭＳ３から受信したオーダー結果に基づいて既設情報データベース２８を更新し、現行化を行う（Ｓ２１８）。このようにして、再切替が行われる。
【００６７】
次に、パス収容設計業務支援システム２が行う切替の詳細な手順を図１４に示す。パス収容設計業務支援システム２は、設計情報を設計情報データベース２７に登録する（Ｓ３０１）。パス収容設計業務支援システム２は、オペレータ端末７により、設計情報を指定して切替オーダー生成処理が選択されると（Ｓ３０２）、既設情報データベース２８から最新の既設情報を取得する（Ｓ３０３）。パス収容設計業務支援システム２は、指定された設計情報を設計情報データベース２７から取得し、取得した設計情報と既設情報とを比較する（Ｓ３０４）。
【００６８】
パス収容設計業務支援システム２は、比較結果に基づいて設計情報と既設情報に差異があり、設計情報が既設情報から変更されているか否かを判断する（Ｓ３０５）。パス収容設計業務支援システム２は、変更されていると判断した場合には、変更部分の経路変更を実行するための切替オーダーを生成する（Ｓ３０６）。パス収容設計業務支援システム２は、生成した切替オーダーをＮＭＳ３に送信し（Ｓ３０７）、履歴情報データベース２９に登録する（Ｓ３０８）。尚、パス収容設計業務支援システム２は、ステップ（Ｓ３０５）において変更されていないと判断した場合には、切替オーダーを生成せずにステップ（３０１）に戻り、オペレータ端末７からの新たな入力を待つ。
【００６９】
次に、パス収容設計業務支援システム２が行う切戻の詳細な手順を図１５に示す。パス収容設計業務支援システム２は、オペレータ端末７により、切替オーダーを指定してリカバリーオーダー生成処理が選択されると（Ｓ４０１）、履歴情報データベース２８から指定された切替オーダーを取得する（Ｓ４０２）。パス収容設計業務支援システム２は、取得した切替オーダーの工程種別を反転させることにより、リカバリーオーダーを生成する（Ｓ４０３）。パス収容設計業務支援システム２は、生成したリカバリーオーダーをＮＭＳ３に送信し（Ｓ４０４）、履歴情報データベース２９に登録する（Ｓ４０５）。
【００７０】
次に、パス収容設計業務支援システム２が行う現行化の手順を図１６に示す。パス収容設計業務支援システム２は、オーダー結果をＮＭＳ３から受信する（Ｓ５０１）。パス収容設計業務支援システム２は、オーダー結果が正常応答か否かを判断し、経路変更が正常に行われたか否かを判断する（Ｓ５０２）。パス収容設計業務支援システム２は、正常応答の場合には、そのオーダー結果がリカバリーオーダーに対するオーダー結果か否かを判断する（Ｓ５０３）。
【００７１】
パス収容設計業務支援システム２は、リカバリーオーダーに対するオーダー結果の場合には、既設情報データベース２８から最新の既設情報を削除し、現行化を行う（Ｓ５０４）。一方、ステップ（Ｓ５０３）において、パス収容設計業務支援システム２は、リカバリーオーダーに対するオーダー結果ではなく、切替オーダーや再切替オーダーに対するオーダー結果の場合には、オーダー生成に用いた設計情報と同一内容の既設情報を、既設情報データベース２８に登録し、現行化を行う（Ｓ５０５）。又、パス収容設計業務支援システム２は、ステップ（Ｓ５０２）において、正常応答ではなく失敗応答の場合には、現行化は行わず、ＮＭＳ３からの新たなオーダー結果を待つ。
【００７２】
（効果）
このような通信システム１、パス収容設計業務支援システム２、経路制御装置２１及び経路制御方法によれば、生成した切替オーダー、切戻オーダー、再切替オーダー等のオーダーを履歴情報データベース２９に登録し、管理できる。そして、パス収容設計業務支援システム２、経路制御装置２１は、履歴情報データベース２９が記憶する過去のオーダーに基づいてリカバリーオーダーを生成することができる。そのため、パス収容設計業務支援システム２、経路制御装置２１では、切戻、再切替のときに設計情報の登録を行う必要がない。よって、パス収容設計業務支援システム２、経路制御装置２１によれば、正確な経路制御を効率的に行うことができる。
【００７３】
具体的には、パス収容設計業務支援システム２、経路制御装置２１は、切戻の際に、オペレータ端末７がオーダーを指定し、リカバリーオーダー生成処理を選択するだけで、経路変更トランザクションのロールバックのためのリカバリーオーダーを自動的に生成できる。又、再切替の際も、オペレータ端末７がオーダー又は設計情報を指定して再切替オーダー生成処理を選択するだけで、パス収容設計業務支援システム２、経路制御装置２１は、再切替オーダーを自動的に生成できる。そのため、パス収容設計業務支援システム２、経路制御装置２１では、度重なる設計情報の登録を行う場合のようなオペレータによる作業ミスを回避でき、高精度で効率の良い経路制御を行うことができる。特に、パス収容設計業務支援システム２、経路制御装置２１は、効率的で正確な切戻、再切替を実現できる。その結果、通信システム１は、効率的に新たな経路を開通したり、既存の経路を他の経路に変更したりできる。
【００７４】
更に、リカバリーオーダー生成部２５ｂは、オーダーの内容を反転させることによりリカバリーオーダーを生成できる。よって、パス収容設計業務支援システム２、経路制御装置２１は、簡単な処理により正確なリカバリーオーダーを自動的に生成できる。又、パス収容設計業務支援システム２、経路制御装置２１は、様々な経路変更の内容に対応したリカバリーオーダーを生成できる。更に、切替オーダー生成部２５ａや再切替オーダー生成部２５ｃも、設計情報と既設情報とを比較することにより、自動的に切替オーダーや再切替オーダーを生成できる。よって、パス収容設計業務支援システム２、経路制御装置２１は、オペレータ作業によるミスを防いで正確な経路制御を効率的に実現できる。
【００７５】
又、パス収容設計業務支援システム２、経路制御装置２１は、現行化部２６によって、リカバリーオーダーによるオーダー結果に基づいて既設情報データベースを更新できる。特に、現行化部２６による既設情報データベース２８から最新の既設情報を削除するという簡単な処理によって、パス収容設計業務支援システム２、経路制御装置２１は、リカバリーオーダーに応じて正確に既設情報を更新できる。
【図面の簡単な説明】
【００７６】
【図１】本発明の実施の形態に係る通信システムの構成を示すブロック図である。
【図２】本発明の実施の形態に係るパス収容設計業務支援システムの構成を示すブロック図である。
【図３】本発明の実施の形態に係るパス収容設計業務支援システムの処理の流れを示す図である。
【図４】本発明の実施の形態に係るＮＥ間の経路制御の具体例を示す図である。
【図５】本発明の実施の形態に係る設計からオーダー生成までの処理と各データベースとの関係を示す図である。
【図６】本発明の実施の形態に係る切替オーダー生成から現行化までの処理を示す図である。
【図７】本発明の実施の形態に係る切戻要因が発生したときの経路制御を示す図である。
【図８】本発明の実施の形態に係るリカバリーオーダー生成から現行化までの処理を示す図である。
【図９】本発明の実施の形態に係るオーダーのフォーマットを示す図である。
【図１０】本発明の実施の形態に係る経路におけるリソース示す図である。
【図１１】本発明の実施の形態に係る切替、切戻、再切替における各情報の変化と、生成するオーダーの具体例を示す図である。
【図１２】本発明の実施の形態に係る経路制御方法の手順を示すシーケンス図である。
【図１３】本発明の実施の形態に係る切替、切戻、再切替の手順を示すシーケンス図である
【図１４】本発明の実施の形態に係る切替の手順を示すフロー図である。
【図１５】本発明の実施の形態に係る切戻の手順を示すフロー図である。
【図１６】本発明の実施の形態に係る現行化の手順を示すフロー図である。
【図１７】従来の経路制御手順を示すフロー図である。
【図１８】従来の切替、切戻、再切替における各情報の変化を示す図である。
【符号の説明】
【００７７】
１  通信システム
２，３０２  パス収容設計業務支援システム
３，３０３  ＮＭＳ
４  ＮＥ管理システム
５ａ，５ｂ  ＮＥメディエーション
６ａ，６ｂ，６ｃ，６ｄ  ＮＥ
２１  経路制御装置
２２  Ｉ／Ｆ
２３ａ  オーダー送信部
２３ｂ  オーダー結果受信部
２４  設計情報更新部
２５ａ  切替オーダー生成部
２５ｂ  リカバリーオーダー生成部
２５ｃ  再切替オーダー生成部
２６  現行化部
２７  設計情報データベース
２８  既設情報データベース
２９  履歴情報データベース
【図１】
2005311434.tif 000003
【図２】
2005311434.tif 000004
【図３】
2005311434.tif 000005
【図４】
2005311434.tif 000006
【図５】
2005311434.tif 000007
【図６】
2005311434.tif 000008
【図７】
2005311434.tif 000009
【図８】
2005311434.tif 000010
【図９】
2005311434.tif 000011
【図１０】
2005311434.tif 000012
【図１１】
2005311434.tif 000013
【図１２】
2005311434.tif 000014
【図１３】
2005311434.tif 000015
【図１４】
2005311434.tif 000016
【図１５】
2005311434.tif 000017
【図１６】
2005311434.tif 000018
【図１７】
2005311434.tif 000019
【図１８】
2005311434.tif 000020